(57)【特許請求の範囲】
【請求項１】
コンクリートの品質試験結果表を作成するコンクリート品質試験結果表作成装置であって、
コンクリートを打設する場合に関係するコンクリート打設情報を管理するコンクリート打設情報管理手段に備えられるコンクリート打設情報データベースから、コンクリート品質試験結果表固有のコンクリート打設情報を抽出する打設情報抽出手段と、
抽出された前記コンクリート打設情報を表示する表示欄と、この表示欄に対応づけて設けられ、この表示欄に表示される前記コンクリート打設情報に対応するコンクリート品質試験結果を入力手段により入力可能な入力欄と、を備えるコンクリート品質試験結果表画像データを作成する結果表画像データ作成手段と、
作成された前記コンクリート品質試験結果表画像データに基づいて、コンクリート品質試験結果表を出力する結果表出力手段と、を備えることを特徴とするコンクリート品質試験結果表作成装置。
【請求項２】
請求項１記載のコンクリート品質試験結果表作成装置において、
入力手段により入力欄に入力されたコンクリート品質試験結果を、前記入力欄が対応づけられた表示欄に表示されるコンクリート打設情報に対応づけて記憶する品質試験結果データベースと、
この品質試験結果データベースに記憶されたコンクリート品質試験結果データと、前記コンクリート打設情報と、を抽出する品質試験結果データおよび打設情報抽出手段と、
抽出された前記コンクリート品質試験結果データおよび前記コンクリート打設情報に基づいてコンクリート品質試験結果グラフ画像データを作成する結果グラフ画像データ作成手段と、
作成された前記コンクリート品質試験結果グラフ画像データに基づいて、コンクリート品質試験結果グラフを出力する結果グラフ出力手段と、を備えることを特徴とするコンクリート品質試験結果表作成装置。
【請求項３】
コンクリートの品質試験結果表を作成するコンクリート品質試験結果表作成方法であって、
コンクリートを打設する場合に関係するコンクリート打設情報を管理するコンクリート打設情報管理手段に備えられるコンクリート打設情報データベースから、コンクリート品質試験結果表固有のコンクリート打設情報を打設情報抽出手段が抽出するステップと、
抽出された前記コンクリート打設情報を表示する表示欄と、この表示欄に対応づけて設けられ、この表示欄に表示される前記コンクリート打設情報に対応するコンクリート品質試験結果を入力手段により入力可能な入力欄と、を備えるコンクリート品質試験結果表画像データを、結果表画像データ作成手段が作成するステップと、
作成された前記コンクリート品質試験結果表画像データに基づいて、コンクリート品質試験結果表を結果表出力手段が出力するステップと、を含むことを特徴とするコンクリート品質試験結果表作成方法。
【請求項４】
コンクリートの品質試験結果表を作成するために必要なプログラムを記録したコンピュータ読み取り可能な記録媒体であって、
コンクリートを打設する場合に関係するコンクリート打設情報を管理するコンクリート打設情報管理手段に備えられるコンクリート打設情報データベースから、コンクリート品質試験結果表固有のコンクリート打設情報を打設情報抽出手段が抽出するために必要なコンピュータ読み取り可能なプログラムコードと、
抽出された前記コンクリート打設情報を表示する表示欄と、この表示欄に対応づけて設けられ、この表示欄に表示される前記コンクリート打設情報に対応するコンクリート品質試験結果を入力手段により入力可能な入力欄と、を備えるコンクリート品質試験結果表画像データを、結果表画像データ作成手段が作成するために必要なコンピュータ読み取り可能なプログラムコードと、
作成された前記コンクリート品質試験結果表画像データに基づいて、コンクリート品質試験結果表を結果表出力手段が出力するために必要なコンピュータ読み取り可能なプログラムコードと、を含むプログラムを記録したことを特徴とする記録媒体。
【発明の詳細な説明】
【０００１】
【発明の属する技術分野】
本発明は、コンクリートの品質試験結果表を作成するコンクリート品質試験結果表作成装置、コンクリート品質試験結果表作成方法、および記録媒体に関する。
【０００２】
【従来の技術】
コンクリートを打設する際には、品質管理のため、打設毎にコンクリートの品質試験が行われている。コンクリートの品質試験は、コンクリート製造会社や、試験機関などにより行われている。
【０００３】
品質試験の例として、例えば、特開２０００−２５０２９号公報に記載の生コンクリートの品質管理方法では、コンクリートの製造の際に品質試験を行っている。
上記品質管理方法においては、混練バッチ毎に実績Ｗ／Ｃ（水セメント比）をリアルタイムに演算し、前もって設定した設定Ｗ／Ｃと前記実績Ｗ／Ｃとの差値量であるＷ／Ｃ誤差を演算している。混練バッチ毎のＷ／Ｃ誤差の推移を表示装置にグラフ表示させることにより、製造した生コンクリートのＷ／Ｃが設計通りであるかどうかを把握でき、充実した品質管理が可能となっている。
【０００４】
【発明が解決しようとする課題】
ところで、コンクリートの品質試験は、通常、コンクリートの打設毎に行われる。このため、コンピュータなどを用いて、打設毎に品質試験結果をまとめて試験結果表を作成する場合には、コンクリートの打設日や打設場所などの情報とともに、品質試験結果のデータを入力する必要がある。
【０００５】
しかし、一件の工事においてはコンクリートが多回数打設されるのが通常であるため、品質試験のデータが膨大な量になるとともに、入力すべきコンクリート打設に関係するデータも膨大な量になり、よって、試験結果表を作成するのに手間がかかってしまう、という問題が生じていた。また、データが大量になることから、手入力によるミスが生じやすい、という問題があった。
【０００６】
本発明の課題は、コンクリートの品質試験結果表を作成する際の省力化を図れるコンクリート品質試験結果表作成装置、コンクリート品質試験結果表作成方法、および記録媒体を提供することである。
【０００７】
【課題を解決するための手段】
以上の課題を解決するため、請求項１記載の発明は、例えば、図１および図１０に示すように、コンクリートの品質試験結果表（試験結果表作成画面７）を作成するコンクリート品質試験結果表作成装置（建築現場書類作成装置１）であって、
コンクリートを打設する場合に関係するコンクリート打設情報を管理するコンクリート打設情報管理手段（建築現場書類作成装置１）に備えられるコンクリート打設情報データベース（建築台帳データベース１３１、コンクリート調合データベース１３２、コンクリート打設データベース１３３）から、コンクリート品質試験結果表固有のコンクリート打設情報を抽出する打設情報抽出手段（例えば、ＣＰＵ１１）と、
抽出された前記コンクリート打設情報を表示する表示欄（７４・７５ａ〜７５ｇ・７６ａ〜７６ｄ）と、この表示欄に対応づけて設けられ、この表示欄に表示される前記コンクリート打設情報に対応するコンクリート品質試験結果を入力手段（入力装置１４）により入力可能な入力欄（７１ａ〜７１ｈ）と、を備えるコンクリート品質試験結果表画像データを作成する結果表画像データ作成手段（例えば、ＣＰＵ１１）と、
作成された前記コンクリート品質試験結果表画像データに基づいて、コンクリート品質試験結果表を出力する結果表出力手段（出力装置１５）と、を備えることを特徴とする。
【０００８】
ここで、コンクリート打設情報管理手段は、コンクリート品質試験結果表作成装置に備えられていても、備えられていなくてもどちらでもよい。コンクリート品質試験結果表作成装置の打設情報抽出手段が、コンクリート打設情報を抽出可能でありさえすればよく、例えば、コンクリート品質試験結果表作成装置に対して、コンクリート打設情報管理手段がＬＡＮやインターネットを介して接続される構成としても良い。
【０００９】
また、コンクリート品質試験結果固有のコンクリート打設情報とは、コンクリート品質試験結果表に表示されるコンクリート打設情報を意味する。具体的には、例えば、品質試験を行ったコンクリートの打設日、打設場所、打設時に採取する供試体の数、コンクリートの調合内容、そのコンクリートの打設を行う工事件名などが含まれる。
【００１０】
また、コンクリート品質試験結果は、コンクリートの品質試験において得られる各種のデータであり、例えば、圧縮強度、スランプ、塩化物量などが挙げられる。
【００１１】
請求項１記載の発明によれば、コンクリート品質試験結果表作成装置は、前記コンクリート打設情報抽出手段と、前記結果表画像データ作成手段と、前記結果表出力手段とを備えるので、コンクリート打設情報を入力しなくても、コンクリート打設情報が表示されたコンクリート品質試験結果表を出力できる。
また、入力欄にコンクリート品質試験結果を入力手段により入力できるので、入力欄にコンクリート品質試験結果が入力されたコンクリート品質試験結果表を出力できる。
【００１２】
したがって、コンクリート品質試験結果表を作成する際に、コンクリート品質試験結果それぞれに対応するコンクリート打設情報を逐一入力する必要が無く、コンクリート品質試験結果表作成時の省力化を図れる。
【００１３】
請求項２記載の発明は、請求項１記載のコンクリート品質試験結果表作成装置において、例えば、図１、図１０、および図１２に示すように、
入力手段により入力欄に入力されたコンクリート品質試験結果を、前記入力欄が対応づけられた表示欄に表示されるコンクリート打設情報に対応づけて記憶する品質試験結果データベース（コンクリート試験結果データベース１３４）と、
この品質試験結果データベースに記憶されたコンクリート品質試験結果データと、前記コンクリート打設情報と、を抽出する品質試験結果データおよび打設情報抽出手段（例えば、ＣＰＵ１１）と、
抽出された前記コンクリート品質試験結果データおよび前記コンクリート打設情報に基づいてコンクリート品質試験結果グラフ画像データを作成する結果グラフ画像データ作成手段（例えば、ＣＰＵ１１）と、
作成された前記コンクリート品質試験結果グラフ画像データに基づいて、コンクリート品質試験結果グラフ（構造体コンクリート強度管理表９）を出力する結果グラフ出力手段（出力装置１５）と、を備えることを特徴とする。
【００１４】
ここで、コンクリート品質試験結果グラフとしては、例えば、従来より周知の管理図などが挙げられるが、これに限らず、品質試験の結果を図示するグラフであればどのような形式のグラフであっても良い。
【００１５】
請求項２記載の発明によれば、コンクリート品質試験結果表作成装置は、前記品質試験結果データベースと、前記品質試験結果データおよび打設情報抽出手段と、前記結果グラフ画像データ作成手段と、前記結果グラフ出力手段と、を備えるので、入力欄にコンクリート品質試験結果を入力してコンクリート品質試験結果表を作成するだけで、品質試験結果をグラフ表示できる。
したがって、コンクリート品質試験結果グラフを手間をかけることなく作成でき、よりコンクリートの品質管理時の省力化を図れる。
【００１６】
請求項３記載の発明は、例えば、図３に示すように、コンクリートの品質試験結果表を作成するコンクリート品質試験結果表作成方法であって、
コンクリートを打設する場合に関係するコンクリート打設情報を管理するコンクリート打設情報管理手段に備えられるコンクリート打設情報データベースから、コンクリート品質試験結果表固有のコンクリート打設情報を打設情報抽出手段が抽出するステップ（Ｓ２１）と、
抽出された前記コンクリート打設情報を表示する表示欄と、この表示欄に対応づけて設けられ、この表示欄に表示される前記コンクリート打設情報に対応するコンクリート品質試験結果を入力手段により入力可能な入力欄と、を備えるコンクリート品質試験結果表画像データを、結果表画像データ作成手段が作成するステップ（Ｓ２２）と、
作成された前記コンクリート品質試験結果表画像データに基づいて、コンクリート品質試験結果表を結果表出力手段が出力するステップ（Ｓ２３・Ｓ２６）と、を含むことを特徴とする。
請求項３記載の発明によれば、請求項１記載の発明と同様の効果が得られる。
【００１７】
請求項４記載の発明は、例えば、図１に示すように、コンクリートの品質試験結果表を作成するために必要なプログラムを記録したコンピュータ読み取り可能な記録媒体（１３ａ）であって、
コンクリートを打設する場合に関係するコンクリート打設情報を管理するコンクリート打設情報管理手段に備えられるコンクリート打設情報データベースから、コンクリート品質試験結果表固有のコンクリート打設情報を打設情報抽出手段が抽出するために必要なコンピュータ読み取り可能なプログラムコードと、
抽出された前記コンクリート打設情報を表示する表示欄と、この表示欄に対応づけて設けられ、この表示欄に表示される前記コンクリート打設情報に対応するコンクリート品質試験結果を入力手段により入力可能な入力欄と、を備えるコンクリート品質試験結果表画像データを、結果表画像データ作成手段が作成するために必要なコンピュータ読み取り可能なプログラムコードと、
作成された前記コンクリート品質試験結果表画像データに基づいて、コンクリート品質試験結果表を結果表出力手段が出力するために必要なコンピュータ読み取り可能なプログラムコードと、を含むプログラムを記録したことを特徴とする。
請求項４記載の発明によれば、請求項１記載の発明と同様の効果が得られる。
【００１８】
【発明の実施の形態】
以下、図を参照して本発明の実施の形態を詳細に説明する。
まず、構成を説明する。本実施の形態例のコンクリート品質試験結果表作成装置は、建築現場に関わる各種書類を作成する建築現場書類作成装置としての機能を兼ね備えるものである。
【００１９】
図１に示すように、建築現場書類作成装置１は、内部にＣＰＵ（Ｃｅｎｔｒａｌ    Ｐｒｏｃｅｓｓｉｎｇ    Ｕｎｉｔ）１１、ＲＡＭ（Ｒａｎｄｏｍ  Ａｃｃｅｓｓ  Ｍｅｍｏｒｙ）１２、記憶装置１３、入力装置１４、出力装置１５などを備えており、これらは内部バス１６を介して接続されている。
【００２０】
記憶装置１３は、プログラムやデータなどがあらかじめ記憶された記録媒体１３ａを有している。記録媒体１３ａは、例えば、磁気的記録媒体、光学的記録媒体、半導体メモリなどで構成されている。記録媒体１３ａは、記憶装置１３に対して、固定的に、あるいは、着脱自在に設けられている。
【００２１】
記録媒体１３ａには、建築台帳データベース１３１と、コンクリート調合データベース１３２と、コンクリート打設データベース１３３と、コンクリート試験結果データベース１３４が記憶されている。
また、記録媒体１３ａには、コンクリートの品質試験結果を示す表やグラフの作成処理などに使用される各種アプリケーションプログラムなどが記憶されるプログラム記憶部１３５、各種アプリケーションプログラムの実行結果などが記憶される結果情報データベース１３６などが記憶されている。
【００２２】
なお、記録媒体１３ａに記憶されるプログラム、データなどは、その一部または全部が、他の装置などから、ＬＡＮや通信回線網などを介して、建築現場書類作成装置１の図示しない伝送制御部により受信されて記録される構成としても良い。また、プログラムなどを、建築現場書類作成装置１から通信回線網などを介して他の装置へ伝送して、インストールするように構成しても良い。
【００２３】
建築台帳データベース１３１には、建築台帳固有のデータである建築台帳データが記憶されている。具体的には、例えば、図６の建築台帳作成画面３に示す、工事件名や、作業所名などのデータが、工事の件ごとに記憶されている。
【００２４】
また、コンクリート調合データベース１３２には、コンクリートの調合計画に関するデータである調合データが記憶されている。具体的には、例えば、図７の調合計画表作成画面４に示す、調合番号（調合Ｎｏ．）、コンクリートの区分、温度補正値、品質基準強度、呼び強度、強度管理材令、セメントの種類、σ値、係数（α）などのデータが、工事の件ごと、かつ調合ごとに記憶されている。
【００２５】
また、コンクリート打設データベース１３３には、コンクリートの打設計画に関する打設データが記憶されている。具体的には、例えば、図８の打設計画表作成画面５に示す、打設回（一件の工事において第何回目のコンクリートの打設であるかを示す数値）、打設日、打込箇所、実施数量（コンクリートの打設数量）、供試体ロット数、コンクリート品質試験を行う試験機関名などのデータが、工事の件ごと、かつ打設回ごとに記憶されている。
【００２６】
上述の各建築台帳データ、調合データ、打設データは、建築現場においてコンクリートを打設する場合に関係するコンクリート打設情報である。すなわち、建築台帳データベース１３１、コンクリート調合データベース１３２、およびコンクリート打設データベース１３３は、コンクリート打設情報データベースである。
【００２７】
また、コンクリート試験結果データベース１３４には、コンクリート品質試験の結果に関するデータである試験結果データが記憶されている。具体的には、例えば、図１０の試験結果表作成画面７に示す、塩化物量、測定器、スランプ、空気量、コンクリート温度、圧縮強度、コンクリート採取箇所、採取日数などのデータが記憶されている。
【００２８】
コンクリート試験結果データベース１３４には、各種の試験結果データが、工事の件ごと、かつ試験のロットごとに記憶されている。さらに、試験のロットは、それぞれの件の工事における調合と、打設回とにそれぞれ対応づけて記憶されている。これにより、各種の試験結果データは、上述の建築台帳データ、調合データ、打設データとに対応づけて記憶されている。
【００２９】
プログラム記憶部１３５には、コンクリートの品質試験結果を集計したコンクリート工事試験結果集計表や、図１２に示す構造体コンクリート強度管理表９などの各種書類を作成するプログラムが記憶されている。
【００３０】
コンクリート工事試験結果集計表の作成に係わるプログラムには、
建築台帳データベース１３１、コンクリート調合データベース１３２、およびコンクリート打設データベース１３３から、コンクリート工事試験結果表固有の建築台帳データ、調合データ、および打設データをＣＰＵ１１が抽出するために必要なコンピュータ読み取り可能なプログラムコードと、
抽出された建築台帳データ、調合データ、および打設データを表示する表示欄（例えば、図１０に示す表示欄７４・７５ａ〜７５ｇ・７６ａ〜７６ｄ）と、この表示欄に対応づけて設けられ、この表示欄に表示される建築台帳データ、調合データ、および打設データに対応するコンクリート品質試験の結果を入力装置１４により入力可能な入力欄（例えば、図１０に示す入力欄７１ａ〜７１ｈ）と、を備える試験結果表作成画面画像データを、ＣＰＵ１１が作成するために必要なコンピュータ読み取り可能なプログラムコードと、
作成された試験結果表作成画面画像データに基づいて、試験結果表作成画面７を出力装置１５が表示するために必要なコンピュータ読み取り可能なプログラムコードと、
作成された試験結果表作成画面画像データに基づいて、コンクリート工事試験結果集計表を出力装置１５がプリントアウトするために必要なコンピュータ読み取り可能なプログラムコードと、が含まれている。
【００３１】
ここで、コンクリート工場試験結果集計表固有の建築台帳データ、調合データ、および打設データとは、コンクリート工場試験結果集計表に表示される事項のデータを意味する。具体的には、例えば、図１０の試験結果表作成画面７に示す、工事件名、コンクリートの打込箇所、セメントの種類、品質基準強度などが挙げられる。
【００３２】
また、構造体コンクリート強度管理表９の作成に係わるプログラムには、
コンクリート試験結果データベース１３４に記憶された試験結果データと、これが対応づけられている、建築台帳データベース１３１に記憶された建築台帳データ、コンクリート調合データベース１３２に記憶された調合データ、およびコンクリート打設データベース１３３に記憶された打設データと、をＣＰＵ１１が抽出するために必要なコンピュータ読み取り可能なプログラムコードと、
抽出された試験結果データ、建築台帳データ、調合データ、および打設データに基づいて、ＣＰＵ１１が管理表作成画面画像データを作成するために必要なコンピュータ読み取り可能なプログラムコードと、
作成された管理表作成画面画像データに基づいて、出力装置１５が管理表作成画面を表示するために必要なコンピュータ読み取り可能なプログラムコードと、作成された管理表作成画面画像データに基づいて、出力装置１５が構造体コンクリート強度管理表９をプリントアウトするために必要なコンピュータ読み取り可能なプログラムコードと、が含まれている。
【００３３】
ＣＰＵ１１は、記憶装置１３に格納されている各種アプリケーションプログラムやシステムプログラムなどを、ＲＡＭ１２に格納する。また、各種指示信号や入力データなどに応じて、ＲＡＭ１２内に格納したアプリケーションプログラムに従って、各種処理を実行する。また、処理結果を、一時的にＲＡＭ１２に格納するとともに、出力装置１５に出力する。また、一部あるいは全部の処理結果情報を、結果情報データベース１３６に記憶させる。
【００３４】
例えば、ＣＰＵ１１は、建築台帳、コンクリート調合計画一覧表（図７）、コンクリート打設計画表（図８）、コンクリート工場宛にファックス送信するためのコンクリート打設予定送信票（図９）、コンクリート工事試験結果集計表（図１０）、図１１に示すコンクリート打設結果集計表８、図１２に示す構造体コンクリート強度管理表９などの建築現場に係わる各種書類を作成する処理を行う。また、ＣＰＵ１１は、解析編集手段として、各種アプリケーションプログラムによる解析及び編集処理などを実行する。
【００３５】
ＲＡＭ１２は、記憶装置１３に格納されたプログラムをＣＰＵ１１が実行する際に、各種データを展開するプログラム格納領域を形成する。また、ＣＰＵ１１が実行する処理に係わるデータが一時的に記憶される記憶領域を形成する。また、入力指示と入力データとによって処理される作業領域などを形成する。
【００３６】
入力装置１４は、例えば、キーボードや、マウスなどのポインティングデバイスなどを備えて構成されている。入力装置１４により、建築台帳データ、調合データ、打設データ、試験結果データなどを入力できる。
【００３７】
出力装置１５は、例えば、ＣＲＴ（Ｃａｔｈｏｄｅ    Ｒａｙ  Ｔｕｂｅ）、ＬＣＤ（Ｌｉｑｕｉｄ  Ｃｒｙｓｔａｌ    Ｄｉｓｐｌａｙ）などの表示装置や、プリンタなどにより構成されている。表示装置により、ＣＰＵ１１の表示制御に従い、各種書類を作成するための各書類作成画面を表示画面上に表示できる。また、プリンタにより、各書類作成処理によって作成された書類をプリントアウトできる。
【００３８】
次に、上記建築現場書類作成装置１による建築現場書類作成処理について説明する。ここで、本実施の形態例のコンクリート品質試験結果表作成方法は、後述する試験結果表作成処理〔５〕に対応している。
【００３９】
まず、図２を参照して、建築現場書類作成処理のおおまかな流れを説明する。なお、後述する送信表作成処理〔４〕では、ステップＳ１の処理は、ステップＳ２の処理の後に行われる。また、管理表作成処理〔７〕では、ステップＳ１の処理は、ステップＳ５の処理の前に行われれば良く、ステップＳ２の処理の前に行う場合に限定されるものではない。
【００４０】
ステップＳ１では、どの種類の書類を作成する処理を行うかを、入力装置１４が選択する。選択可能な書類作成処理には、
〔１〕建築台帳を作成する建築台帳作成処理（図５、図６）、
〔２〕コンクリート調合計画一覧表を作成する調合計画表作成処理（図７）、
〔３〕コンクリート打設計画表を作成する打設計画表作成処理（図８）、
〔４〕コンクリート打設予定送信票を作成する送信票作成処理（図９）、
〔５〕コンクリート工事試験結果集計表を作成する試験結果表作成処理（図１０）、
〔６〕図１１に示すコンクリート打設結果集計表８を作成する打設結果表作成処理、
〔７〕図１２に示す構造体コンクリート強度管理表９を作成する管理表作成処理などが含まれている。丸かっこ内に記した図面番号は、各書類作成処理を説明するための図面番号である。
次に、ステップＳ２で、どの件の工事の書類を作成するかを、入力装置１４が選択する。
【００４１】
次に、ステップＳ３で、ＣＰＵ１１は、作成する書類固有のデータが、記憶装置１３の各データベースに既に記憶されているかどうかを判断する。ここで、書類固有のデータとは、その書類上に表示される事項のデータを意味する。
作成する書類固有のデータが既に記憶されている場合には、ステップＳ４へ進み、記憶されている書類固有のデータを、ＣＰＵ１１が各データベースから抽出する。書類固有のデータが記憶されていない場合には、ステップＳ５へ進む。
【００４２】
次に、ステップＳ５で、ＣＰＵ１１は、入力装置１４が書類固有のデータを入力可能な入力欄を備える書類作成画面画像データを作成する。書類作成画面画像データには、必要に応じて、書類固有のデータを表示する表示欄を設ける。
ここで、ステップＳ４で書類固有のデータを抽出した場合には、ＣＰＵ１１は、抽出したデータを、そのデータの入力欄や表示欄に表示する。書類固有のデータを抽出しなかった場合には、ＣＰＵ１１は、抽出しなかったデータの入力欄や表示欄を空欄にする。
【００４３】
次に、ステップＳ６で、出力装置１５の表示装置が、ＣＰＵ１１の表示制御に従い、作成された書類作成画面データに基づいて、書類作成画面を表示画面上に表示する。
【００４４】
次に、ステップＳ７で、ＣＰＵ１１は、書類固有のデータを入力装置１４が入力欄に入力したかどうかを判断する。データを入力した場合には、ステップＳ８へ進み、入力したデータをＣＰＵ１１がデータベースに記憶させ、その後ステップＳ７へ進む。データを入力しなかった場合には、ステップＳ９へ進む。
【００４５】
次に、ステップＳ９で、ＣＰＵ１１は、書類を出力するかどうかを判断する。書類を出力する場合には、ステップＳ１０へ進み、出力装置１５のプリンタが、書類を出力し、その後ステップＳ７へ進む。書類を出力しない場合には、建築現場書類作成処理を終了する。
【００４６】
次に、各書類作成処理について、それぞれ説明する。
〔１〕建築台帳作成処理
まず、ステップＳ１で建築台帳作成処理を選択すると、表示装置が、例えば、図５に示す工事選択画面２を表示画面上に表示する。
【００４７】
工事選択画面２には、バー２ａ〜２ｅが表示されている。工事選択画面２には、バー２ａ・２ｂ…を新規作成、削除するための新規作成ボタン２６、データ削除ボタン２７が設けられている。図５中に示すバー２ｅは、ボタン２６をクリックして新規作成されたバーである。
【００４８】
それぞれのバー２ａ〜２ｅには、工事件名や工期などの建築台帳データを入力装置１４が入力可能な入力欄（入力欄２１〜２３など）が設けられている。工事件名や工期などのデータを入力欄に入力した場合には、ＣＰＵ１１は、入力されたデータを建築台帳データベース１３１に記憶させる処理を行う。
【００４９】
また、バー２ａ・２ｂ…それぞれには、建築台帳作成ボタン２４と、印刷イメージ表示ボタン２５が設けられている。ある工事のバー（例えば、バー２ａ）上のボタン２４をマウスなどがクリックすると、ステップＳ２〜Ｓ５を経てステップＳ６へ進み、例えば、図６に示す建築台帳作成画面３を表示する。ここで、ステップＳ４では、建築台帳作成処理において既に入力欄に入力されたデータを、建築台帳データベース１３１から抽出する処理を行う。
【００５０】
図６に示すように、建築台帳作成画面３には、工事選択画面２のバー２ａの入力欄に入力されたデータ（工事件名など）を表示する表示欄（表示欄３３など）が設けられている。工事選択画面２で、工事件名が入力されていないバー２ｅ上のボタン２５をクリックした場合には、建築台帳作成画面３上の表示欄３３を空欄で表示する。
【００５１】
また、建築台帳作成画面３には、出張所・作業所名や、管理者名などの建築台帳データを入力するための入力欄（入力欄３１・３２など）が設けられている。なお、既に建築台帳作成処理を行い、建築台帳作成画面３上の入力欄へのデータ入力を既に行っている場合には、以前に入力したデータをそのデータの入力欄に表示する。また、入力欄にデータをまだ入力していない場合には、そのデータの入力欄を空欄で表示する。
【００５２】
建築台帳作成画面３上において、入力欄にデータを入力した場合（ステップＳ７）には、ステップＳ８へ進み、入力したデータを建築台帳データベース１３１に記憶させる。
【００５３】
また、図５に示す工事選択画面２上で、ボタン２５をクリックした場合には、表示装置が建築台帳の印刷イメージ表示画面（図示省略）を表示画面上に表示する。印刷イメージ表示画面上で、入力装置１４が印刷処理を選択した場合（ステップＳ９）には、ステップＳ１０へ進み、建築台帳をプリントアウトする。
【００５４】
なお、以下に説明する書類作成処理においても上述と同様に、入力欄へのデータ入力を既に行っている場合には、入力したデータをそのデータの表示欄や入力欄に表示する。また、入力欄にデータをまだ入力していない場合には、そのデータの表示欄や入力欄を空欄で表示する。
【００５５】
〔２〕調合計画表作成処理
まず、建築台帳作成処理〔１〕とほぼ同様にして、ステップＳ１で調合計画表作成処理を選択し、ステップＳ２で工事を選択すると、例えば、図７に示す調合計画表作成画面４を表示装置が表示する。なお、調合計画表作成処理では、工事選択画面上で、バーの新規作成や削除ができないようになっている。
【００５６】
図７に示すように、調合計画表作成画面４には、調合表示列４ａ・４ｂ…が設けられている。また、調合計画表作成画面４には、列４ａ・４ｂ…を新規作成、削除するための新規作成ボタン４１、データ削除ボタン４２や、各建築台帳データの表示欄４３ａ〜４３ｅなどが設けられている。
【００５７】
また、それぞれの列４ａ・４ｂ…には、各調合データの入力欄（例えば、入力欄４４ａ〜４４ｐ）と、入力欄に入力されたデータに基づいて決定されるデータを表示する表示欄４５ａ〜４５ｄが設けられている。なお、図中では、入力欄を点線枠で図示している。
【００５８】
「調合Ｎｏ．」の入力欄４４ａにおいては、列４ａ・４ｂ…を新規表示した際に、ＣＰＵ１１の表示制御により、自動で調合番号を上から順に振り分けて表示する。入力装置１４により、調合番号を入力欄４４ａに入力することもできる。
【００５９】
また、例えば、「温度補正値」の入力欄４４ｆなどにおいては、図７に示すように、入力するデータをプルダウン４６で選択できるようになっている。
【００６０】
具体的には、例えば、「計画供用期間の級」の入力欄４４ｅでは、プルダウンにより、一般、標準、長期の中からデータを選択できる。一般を選択した場合には、ＣＰＵ１１の表示制御により、「耐久設計基準強度」の表示欄４５ａに「１８」を表示する処理を行う。また、入力欄４４ｅで標準を選択した場合には「２４」を、長期を選択した場合には「３０」を表示欄４５ａに表示する。
【００６１】
また、「温度補正値」の入力欄４４ｆでは、プルダウンにより、０、３、６の中からデータを選択でき、また、「設計基準強度」の入力欄４４ｇでは、１８、２１、２４、２７、３０、３３の中からデータを選択できるようになっている。
【００６２】
「品質基準強度」の表示欄４５ｂにおいては、ＣＰＵ１１の表示制御により、表示欄４５ａに表示された数値と、入力欄４４ｇに表示された数値と、のうちの大きい方に３を足し合わせた数値を表示する。また、「呼び強度」の表示欄４５ｃにおいては、表示欄４５ｂに表示される数値に、入力欄４４ｆに表示された数値を足し合わせた数値を表示する。
【００６３】
また、「水セメント比」の表示欄４５ｄにおいては、「セメント」の入力欄４４ｌに入力された数値と、「水」の入力欄４４ｍに入力された数値と、の比率を表示する。
【００６４】
調合計画表作成画面４において、入力欄にデータを入力したり、入力したデータに基づいて表示欄４５ａ〜４５ｄにデータを表示したりした場合には、入力したデータや表示したデータを、コンクリート調合データベース１３２に記憶させる。
【００６５】
また、調合計画表作成画面４上には、入力装置１４により選択可能な機能メニュー（図示省略）が設けられており、印刷処理を選択できるようになっている。調合計画表作成画面４上で印刷処理を選択した場合には、調合計画表作成画面４とほぼ同様の書式のコンクリート調合計画一覧表を、プリンタがプリントアウトする処理を行う。
【００６６】
〔３〕打設計画表作成処理
まず、調合計画表作成処理〔２〕と同様にして、ステップＳ１で打設計画表作成処理を選択し、ステップＳ２で工事を選択すると、バーが表示された打設回選択画面を表示装置が表示する（図示省略）。打設回選択画面は、図５に示す工事選択画面２に類似した構成となっている。
【００６７】
打設回選択画面に設けられたバー上には、コンクリートの打設回や打設日がそれぞれ表示されている。打設回選択画面上では、バーの新規作成や削除を行えるようになっている。また、各バーには、打設計画表作成ボタンと、送信票作成ボタンとがそれぞれ設けられている。
【００６８】
打設回選択画面上で、マウスなどが打設計画表作成ボタンをクリックして打設回を選択すると、ステップＳ２〜Ｓ５を経てステップＳ６へ進み、例えば、図８に示す打設計画表作成画面５を表示する。
【００６９】
打設計画表作成画面５には、各建築台帳データの表示欄５１ａ〜５１ｃが設けられている。また、各打設データの入力欄（例えば、入力欄５２ａ〜５２ｊ）と、入力欄に入力されたデータに基づいて決定されるデータを表示する表示欄５３ａ〜５３ｇが設けられている。
ここで、「品質基準強度確認用」（供試体ロット数）の入力欄５２ｈに入力される数値は、圧縮強度試験における供試体のセット数（１セット３本）に対応している。
また、打設計画表作成画面５には、コンクリート打設予定送信票を作成する送信票作成ボタン５４が設けられている。
【００７０】
「今回打込箇所」の入力欄５２ａにおいては、調合計画表作成処理で、図７中の「打設箇所」の入力欄４４ｂに既に入力されたデータを、プルダウンにより全て表示できるようになっている。入力欄５２ａにおいて、プルダウンで打込箇所を選択すると、ＣＰＵ１１の表示制御により、選択した打込箇所を、「今回打込箇所」の表示欄５３ｅそれぞれに表示する処理を行う。
【００７１】
また、「調合Ｎｏ．」の入力欄５２ｂにおいては、プルダウンにより、調合計画表作成処理で、図７中の「呼び強度」の表示欄４５ｃ、「スランプ」、「粗骨材の最大寸法」、「打設予定年月日」、「レデーミクストコンクリート工場名」の各入力欄４４ｉ・４４ｊ・４４ｃ・４４ｐに既に入力されたデータを、調合番号毎に全て表示できるようになっている。
【００７２】
入力欄５２ｂにおいて調合番号を選択すると、「セメントの種類」、「品質基準強度」、「スランプ」、「呼び強度」、「工場名」の各表示欄５３ａ〜５３ｄ・５３ｆそれぞれに、選択した調合番号に対応する各調合データを表示装置が表示する処理を行う。
【００７３】
また、「予定数量」、「打設開始時間」、「打設終了時間」の各入力欄５２ｃ・５２ｅ・５２ｆにデータを入力すると、ＣＰＵ１１がコンクリートの打設ピッチを算出するとともに、ＣＰＵ１１の表示制御により、表示装置が「打設ピッチ」の表示欄５３ｇに算出した打設ピッチを表示する処理を行う。このとき、「休憩時間」の入力欄５２ｇにデータを入力した場合には、ＣＰＵ１１は、休憩時間を考慮して打設ピッチを算出する。
【００７４】
また、コンクリートの打設終了後には、入力装置１４は、「実施数量」の入力欄５２ｄに、実際に打設したコンクリートの量を数値入力する処理を行う。
打設計画表作成画面５において、入力欄にデータを入力したり、入力したデータに基づいて表示欄５３ａ〜５３ｇにデータを表示したりした場合には、入力したデータや表示したデータを、打設回ごとにコンクリート打設データベース１３３に記憶させる。
【００７５】
また、調合計画表作成処理〔２〕と同様にして、打設計画表作成画面５上で印刷処理を選択した場合には、打設計画表作成画面５とほぼ同様の書式のコンクリート打設計画表をプリントアウトする処理を行う。
【００７６】
〔４〕送信票作成処理
送信票作成処理においては、図２のステップＳ１の処理の前に、ステップＳ２の処理を行う。
まず、上述の打設計画表作成処理〔３〕において、打設計画表作成処理を選択して、工事選択画面を表示する。次に、ステップＳ２で工事を選択して、打設回選択画面を表示する。
【００７７】
次に、ステップＳ１で、打設回選択画面上で送信票作成ボタンをクリックするか、または、打設計画表作成ボタンをクリックして打設計画表作成画面５を表示した後に画面５上で送信票作成ボタン５４をクリックする。すると、表示装置が、例えば、図９に示す送信票作成画面６を表示する。
【００７８】
送信票作成画面６には、建築台帳データや、調合データ、打設データの表示欄（例えば、表示欄６１〜６４など）が設けられている。図９では、表示欄を色付けして図示している。
【００７９】
また、連絡待ち数量や、ＪＩＳ供試体採取本数などのデータを入力可能な入力欄６５・６６が設けられている。また、入力欄６７では、プルダウンにより、その打設回におけるコンクリートの製造工場名を表示できるようになっており、工場名が複数ある場合には、その中から送信票の宛先とする工場名を選択することができる。
送信票作成画面６において、入力欄にデータを入力した場合には、入力したデータをコンクリート打設データベース１３３に記憶させる。
【００８０】
また、送信票作成画面６には、印刷ボタン６８が設けられている。ボタン６８をクリックした場合には、送信票作成画面６とほぼ同様の書式のコンクリート打設予定送信票を、プリンタがプリントアウトする処理を行う。このとき、プリンタは、入力欄６７で選択された工場名宛のコンクリート打設予定送信票を出力する。
【００８１】
以上、〔１〕〜〔４〕で説明したように、建築現場書類作成装置１は、各種書類を作成する装置であるとともに、建築台帳データ、調合データ、打設データなどのコンクリート打設情報を、各データベース１３１〜１３３に記憶させて管理する装置である。すなわち、建築現場書類作成装置１は、コンクリート打設情報管理手段である。
【００８２】
〔５〕試験結果表作成処理
次に、試験結果表作成処理について、図２とともに図３を参照して説明する。図３は、試験結果表作成処理の主な処理を示すフローチャートである。
【００８３】
まず、打設計画表作成処理〔３〕とほぼ同様にして、ステップＳ１・Ｓ２で、試験結果表作成処理の選択、工事の選択、および打設回の選択の処理を行う。なお、試験結果表作成処理では、打設回選択画面上で、バーの新規作成や削除ができないようになっている。
【００８４】
打設回を選択すると、ステップＳ３で、選択した工事・打設回におけるコンクリート工事試験結果集計表固有のデータが、各データベース１３１〜１３４に既にあるかどうかを、ＣＰＵ１１が判断する。
【００８５】
コンクリート工事試験結果集計表固有の打設情報である建築台帳データ、調合データ、および打設データが既にデータベース１３１〜１３３にある場合には、ステップＳ２１（Ｓ４）で、ＣＰＵ１１が、各データベース１３１〜１３３から各データを抽出する。すなわち、ＣＰＵ１１は打設情報抽出手段である。また、試験結果データが既にデータベース１３４にある場合には、データベース１３４からデータを抽出する。
【００８６】
次に、ステップＳ２２（Ｓ５）で、選択した工事・打設回における品質基準強度確認用のロット数（図８に示す打設計画表作成画面５に示す入力欄５２ｈに入力される数値）分の試験結果表示列（例えば、図１０に示す列７ａ・７ｂ…）を備えた試験結果表作成画面画像データをＣＰＵ１１が作成する。すなわち、ＣＰＵ１１は、結果表画像データ作成手段である。
【００８７】
ここで、各試験結果表示列には、建築台帳データ、調合データ、打設データを表示する表示欄（例えば、図１０に示す表示欄７４・７５ａ〜７５ｇ・７６ａ〜７６ｄなど）と、試験結果を入力可能な入力欄（図１０に示す入力欄７１ａ〜７１ｈなど）とを設ける。
【００８８】
また、ステップＳ２１（Ｓ４）で抽出した各種データを、試験のロットごとに、それぞれの表示列に表示する。これにより、各表示列の表示欄および入力欄において、各種データが工事の件ごと、コンクリートの調合ごと、打設回ごとに対応づけられて表示される。
【００８９】
次に、ステップＳ２３（Ｓ６）で、作成した試験結果表作成画面画像データに基づいて、試験結果表作成画面７を表示装置が表示する。試験結果表作成画面７は、コンクリート工事試験結果集計表と同様の書式となっている。すなわち、出力装置１５の表示装置は、コンクリートの品質試験結果表を出力する結果表出力装置である。
【００９０】
試験結果表作成画面７上の列７ａ・７ｂ…それぞれには、ロット番号を表示する表示欄７９が設けられている。表示欄７９においては、列７ａ・７ｂ…を新規表示する際に、ＣＰＵ１１の表示制御により、自動でロット番号を「１」から順に振り分けて表示する。
【００９１】
また、試験結果表作成画面７には、建築台帳作成処理において図５の工事選択画面２上の入力欄に入力した工事件名を表示する表示欄７４が設けられている。また、それぞれの列７ａ・７ｂ…には、図７の調合計画表作成画面４上の入力欄に入力した調合番号、コンクリートの種類、セメントの種類、温度補正値、強度管理材令や、表示欄に表示した品質基準強度、呼び強度を表示する表示欄７５ａ〜７５ｇが設けられている。
また、それぞれの列７ａ・７ｂ…には、図８の打設計画表作成画面５上の入力欄に入力したコンクリート打込箇所、打設日、試験機関や、これらのデータが対応づけられる打設回の数値を表示する表示欄７６ａ〜７６ｄが設けられている。
【００９２】
また、列７ａ・７ｂ…それぞれには、塩化物量、測定器、スランプ、空気量、コンクリート温度、圧縮強度、コンクリート採取箇所、採取日数などのコンクリート試験結果の入力欄（例えば、入力欄７１ａ〜７１ｈ）と、この入力欄に入力されたデータに基づき決定されるデータを表示する表示欄７２ａ・７２ｂが設けられている。
【００９３】
圧縮強度の欄７３それぞれには、圧縮強度の試験結果を入力する入力欄７１ｆが、それぞれ三つずつ設けられている。表示装置は、ＣＰＵ１１の表示制御により、三つの入力欄７１ｆのうち試験結果が入力されたものの平均値を、表示欄７２ａに表示する処理を行う。
【００９４】
また、三つの入力欄７１ｆにおいて、試験結果が入力された入力欄７１ｆが二つ以下である場合、または、三つの入力欄７１ｆ全てに試験結果が入力されていて、かつそれらの平均値が「品質基準強度」の表示欄７５ｅに表示される数値以下である場合に、表示装置は合否判定の表示欄７２ｂに「否」を表示する。三つの入力欄７１ｆ全てに試験結果が入力されていて、かつそれらの平均値が品質基準強度を越える場合には、表示欄７２ｂに「合」を表示する。
【００９５】
試験結果表作成画面７において、入力欄にデータを入力したり、表示欄７２ａ・７２ｂにデータを表示したりした場合には、ＣＰＵ１１は、入力したデータや表示したデータを、コンクリート試験結果データベース１３４に記憶させる。
【００９６】
また、試験結果表作成画面７には、全ての打設回の試験結果表示列を表示させる全件表示ボタン７７や、後述する管理表作成処理〔７〕でデータの抽出を行うためのシグマデータ出力ボタン７８が設けられている。
【００９７】
調合計画表作成処理〔２〕と同様にして、試験結果表作成画面７上で印刷処理を選択した場合には、プリンタは、試験結果表作成画面７とほぼ同様の書式のコンクリート工事試験結果集計表をプリントアウトする処理を行う。すなわち、出力装置１５のプリンタは、試験結果の結果表出力手段である。
【００９８】
〔６〕打設結果表作成処理
まず、調合計画表作成処理〔２〕とほぼ同様にして、ステップＳ１で打設結果表作成処理を選択し、ステップＳ２で工事を選択すると、打設結果表作成画面（図示省略）を表示装置が表示する。
【００９９】
打設結果表作成画面は、例えば、図１１に示すコンクリート打設結果集計表８とほぼ同様の書式になっており、出張所名（８１）、打設日（８２）、配合Ｎｏ．（８３）、セメントの種類（８４）、コンクリート数量（８５）、コンクリート工場名（８６）などを表示する表示欄が、打設回毎に設けられている。ここで、配合Ｎｏ．とは、調合番号のことである。
また、打設結果表作成画面の最下段には、打設結果表作成画面上に表示される打設結果のモルタル数量およびコンクリート数量それぞれの合計数量が表示されている。
【０１００】
また、打設結果集計表作成画面には、「検索・絞込」ボタン、「ソート（配合ＮＯ）」ボタン、「全件表示」ボタンがそれぞれ設けられている。
【０１０１】
「検索・絞込」ボタンをマウスなどがクリックすると、ＣＰＵ１１の表示制御により、表示装置が検索・絞込画面（図示省略）を表示する。
検索・絞込画面上で、入力装置１４が検索条件を入力し、検索ボタンをクリックすると、ＣＰＵ１１は、入力された検索条件に基づいて、データベース１３１〜１３３から条件に対応する各データを抽出する処理を行う。その後、抽出された各データに基づいて、打設集計表作成画面画像データをＣＰＵ１１が再作成し、表示装置が打設結果表作成画面を再表示する。
【０１０２】
また、「ソート（配合ＮＯ）」ボタンをクリックすると、ＣＰＵ１１が、打設結果表作成画面上に表示されたデータを調合番号順に並べ替えた打設結果表作成画面画像データを再作成し、表示装置が打設結果表作成画面を再表示する。
【０１０３】
また、「全件表示」ボタンをクリックすると、ＣＰＵ１１がその工事の打設結果に対応するデータを全て抽出する。その後、抽出したデータが打設回順に表示された打設結果表作成画面画像データをＣＰＵ１１が再作成し、表示装置が打設結果表作成画面を再表示する。
【０１０４】
また、打設結果表作成画面上で印刷処理を選択した場合には、例えば、図１１に示すコンクリート打設結果集計表８をプリンタがプリントアウトする処理を行う。
ここで、プリントアウトされるコンクリート打設結果集計表には、打設結果が、打設結果表作成画面上における打設結果の表示順と同じ表示順で表示される。
また、打設結果集計表作成画面上で、「ソート（配合ＮＯ）」ボタンをクリックしてデータを並べ替えた場合には、ＣＰＵ１１の制御に従い、プリンタが、図１１に示すコンクリート打設結果集計表８のように、それぞれの調合番号（配合Ｎｏ）の打設モルタル量、打設コンクリート量の総計を、それぞれの調合番号（配合Ｎｏ）の打設結果の最下段に出力する処理を行う。
【０１０５】
〔７〕管理表作成処理
次に、管理表作成処理について、図２とともに図４を参照して説明する。図４は、管理表作成処理の主な処理を示すフローチャートである。なお、管理表作成処理においては、図２のステップＳ１の処理は、ステップＳ５の処理の前に行えば良く、必ずしもステップＳ２より前に処理を行う必要は無い。
【０１０６】
ステップＳ２〜Ｓ４の処理においては、まず、上述の試験結果表作成処理〔５〕において、試験結果表作成処理を選択した後、ステップＳ２で工事を選択する。その後、図１０の試験結果表作成画面７を表示装置が表示する。
【０１０７】
試験結果表作成画面７上でボタン７８をクリックすると、表示装置がコンクリート工場選択画面（図示省略）を表示する。このとき、ＣＰＵ１１は、その工事において用いられたコンクリートの製造工場名をコンクリート調合データベース１３２から抽出して、工場選択画面上に表示させる。
【０１０８】
コンクリート工場選択画面上で、入力装置１４がコンクリート工場を選択すると、ステップＳ３１（Ｓ４）へ進み、ＣＰＵ１１は、選択されたコンクリート工場から提供されたコンクリートに関係する試験結果データと、これが対応づけられる打設情報である建築台帳データ、調合データ、打設データを各データベース１３１〜１３４から抽出し、例えば、ＣＳＶ形式のデータなどに変換する。すなわち、ＣＰＵ１１は、試験結果データおよび打設情報抽出手段である。
【０１０９】
一方、ステップＳ１の処理で管理表作成処理を選択すると、ＣＰＵ１１の表示制御に従い、表示装置は管理表作成画面（図示省略）を表示する。
【０１１０】
管理表作成画面は、例えば、図１２に示す構造体コンクリート強度管理表９とほぼ同様の書式になっている。管理表作成画面には、工事件名（９１）や、コンクリート工場名（９２）、σ値（９３）、α値（９４）、圧縮強度（９５）などのデータを表示する表示欄や、品質試験の結果グラフ９６ａを表示するグラフ表示欄９６が設けられている。
なお、図１２に示す表示欄内の各データや、グラフ表示欄９６内の結果グラフ９６ａは、後述するステップＳ３３（Ｓ６）で、管理表作成画面上に表示される。
【０１１１】
管理表作成画面には、データ取込ボタンと、品質基準強度の入力欄とが設けられている。品質基準強度の入力欄では、プルダウンにより、１８、２１、２４、２７、３０、３３、３６の中から入力装置１４が数値を選択できるようになっている。
【０１１２】
データ取込ボタンをマウスなどがクリックすると、ステップＳ３１（Ｓ４）でＣＳＶ変換したデータをＣＰＵ１１が取得する処理を行う。その後、品質基準強度の入力欄において数値を選択すると、ＣＰＵ１１が、入力欄で選択した数値の品質基準強度に対応するコンクリートの打設に関する各データを、既に取得したデータの中から抽出する処理を行う。
【０１１３】
次に、ステップＳ３２（Ｓ５）で、ＣＰＵ１１は、抽出されたデータに基づいて、各データ９１〜９５や結果グラフ９６ａを表示欄やグラフ表示欄９６に表示した管理表作成画面画像データを作成する。すなわち、ＣＰＵ１１は、結果グラフ画像データ作成手段である。
【０１１４】
次に、ステップＳ３３（Ｓ６）で、作成した管理表作成画面画像データに基づいて、表示装置が管理表作成画面を再表示する。また、調合計画表作成処理〔２〕と同様にして、管理表作成画面上で印刷処理を選択した場合には、ステップＳ３４（Ｓ１０）へ進み、図１２に示す構造体コンクリート強度管理表９をプリンタがプリントアウトする処理を行う。すなわち、出力装置１５の表示装置、プリンタは、結果グラフを出力する結果グラフ出力手段である。
【０１１５】
以上のように、本実施の形態例のコンクリート品質試験結果表作成装置（建築現場書類作成装置１）、コンクリート品質試験結果表作成方法（試験結果表作成処理〔５〕）では、コンクリート工事試験結果集計表を作成する際に、ＣＰＵ１１が、建築台帳作成処理〔１〕、調合計画表作成処理〔２〕、および打設計画表作成処理〔３〕において各データベース１３１〜１３３に記憶された建築台帳データ、調合データ、および打設データを抽出して、コンクリート工事試験結果集計表の表示欄に表示する。
【０１１６】
これにより、既に作成した建築台帳、コンクリート調合計画一覧表、コンクリート打設計画表のデータを流用して、コンクリート工事試験結果集計表を容易に作成できる。したがって、試験結果集計表を作成する際に、試験結果それぞれに対応するデータ（例えば、工事件名、打設場所、コンクリートの種類など）を逐一入力する必要が無く、試験結果集計表作成時の省力化を図れる。
【０１１７】
また、試験結果集計表を作成するために再度建築台帳データや、調合データ、打設データを入力せずに済むので、データの再度入力によるデータの入力ミスを防止することができる。
【０１１８】
また、試験結果表作成処理〔５〕と同様に、調合計画表作成処理〔２〕、打設計画表作成処理〔３〕、および送信票作成処理〔４〕においても、既に作成した書類のデータを流用して書類の作成を行えるので、書類作成時の省力化を図れるとともに、再度のデータ入力による入力ミスを防止できる。
【０１１９】
また、打設結果表作成処理〔６〕、管理表作成処理〔７〕では、データ入力を行うことなく、〔１〕〜〔５〕の書類作成処理で入力したデータを流用して打設結果表や管理表を作成できる。したがって、手間をかけることなく書類を作成でき、打設結果管理や品質管理時の省力化を図れる。
【０１２０】
また、建築現場書類作成装置１によって、上記の各種書類作成処理〔１〕〜〔７〕を全て行えるので、一つの件の工事に関わる各種書類固有のデータを一括して管理できる。したがって、それぞれの書類作成処理において、〔１〕〜〔５〕で入力された全てのデータを流用できるので、建築現場に関わる各種書類を作成する手間を、従来に比べて大幅に減少することができる。
【０１２１】
また、工事の件の新規作成・削除は建築台帳作成処理〔１〕のみで、調合の新規作成・削除は調合計画表作成処理〔２〕のみで、打設回の新規作成・削除は打設計画表作成処理〔３〕のみで行えるようになっているので、他の書類作成時において、工事の件や、調合、打設回などのデータを不用意に削除してしまうのを防止できる。
【０１２２】
また、〔２〕〜〔７〕の書類作成画面は、プリントアウトされる書類とほぼ同様の書式となっているので、書類作成画面上で書類を作成する際に、各欄を容易に確認でき、作業性がよい。
【０１２３】
また、例えば、図７に示す調合計画表作成画面４上の入力欄４４ｆなどにおいては、プルダウンでデータを選択できるので、データ入力の手間を省略できるとともに、データの入力間違いを防止できる。
また、例えば、表示欄４５ａ〜４５ｄなどでは、入力欄に入力されたデータに基づいてＣＰＵ１１が表示するデータを決定するので、手入力によるデータ入力の手違いを防止できる。
【０１２４】
また、試験結果表作成処理〔５〕では、ＣＰＵ１１が、供試体のロット数分の表示列を設けるので、従来と異なり、供試体のロット数分の表示列を表計算ソフト等を用いて作成する手間を省略できる。
【０１２５】
また、打設結果表作成処理〔６〕では、データの検索・絞込や、ソートを行えるので、ある条件に対応するデータごとに打設結果を確認できる。また、打設結果のモルタル数量およびコンクリート数量それぞれの合計数量が表示されるので、ある条件に対応する打設結果における打設量を確認できる。
具体的には、例えば、現在までのコンクリートの打設量や、コンクリート工場ごとの打設量を、容易に確認することができる。
【０１２６】
また、管理表作成処理〔７〕では、コンクリート工場ごとにデータを抽出するので、コンクリートの品質管理状況をコンクリート工場ごとに確認することができる。また、管理表作成画面上で品質管理強度の数値を選択するだけで、試験結果データの中から対応するデータを抽出するので、管理図の作成効率がよい。
【０１２７】
なお、本実施の形態例においては、送信票作成処理〔４〕において、図９に示す送信票作成画面６に表示される各データを、ＣＰＵ１１が各データベース１３１〜１３３から取得するとともに、取得したデータをコンクリート工場が所有する装置へ送信する処理を含む構成としても良い。これに限らず、取得したデータに基づいて電子メールを作成し、コンクリート工場が所有する装置へ作成した電子メールを送信する処理を含む構成としても良い。
【０１２８】
また、試験結果表作成処理〔５〕において、例えば、打設結果表作成処理〔６〕と同様にして、条件の検索・絞込や、ソートなどを行える構成としても良い。
【０１２９】
また、管理表作成処理〔７〕では、コンクリート工場を選択してデータを抽出するものとしたが、その他の条件（例えば、打設日や打設箇所など）を選択して、条件に対応するデータを抽出する構成としても良い。
【０１３０】
また、管理表作成処理〔７〕では、図１２に示すように、圧縮強度試験の結果を、試験結果の平均値の折れ線グラフで表示するものとしたが、これに限らず、例えば、スランプや塩化物量などの他のデータをグラフ表示する構成としても良いし、また、Ｒ管理図を用いたり、その他各種形式のグラフを用いて表示する構成としても良い。
【０１３１】
また、〔２〕〜〔７〕の書類作成処理において、〔１〕〜〔５〕の書類作成処理において入力したデータを流用して書類を作成する構成としたが、書類作成処理以外の処理においてデータベースに記憶されたデータを流用して書類を作成する構成としても良い。
また、各種書類における記載事項は、特に上記の例に限定されるものではなく、適宜変更可能である。
【０１３２】
また、建築現場書類作成装置１によって、〔１〕〜〔７〕の書類作成処理を全て行える構成としたが、それぞれの書類作成処理機能を、異なる装置に搭載する構成としても良い。
例えば、試験結果表作成処理〔５〕の機能のみを、建築現場書類作成装置１に通信回線網などを介して接続された他の装置に設ける構成としても良い。この場合にも、試験結果表固有のデータを、通信回線網を介して建築現場書類作成装置１から受信できるので、本実施の形態と同様にして書類作成時の省力化を図ることができる。
【０１３３】
【発明の効果】
請求項１、３、４記載の発明によれば、コンクリート品質試験結果表を作成する際に、コンクリート品質試験結果それぞれに対応するコンクリート打設情報を逐一入力する必要が無くなり、よって、コンクリート品質試験結果表作成時の省力化を図ることができる。
【０１３４】
請求項２記載の発明によれば、請求項１記載の発明と同様の効果が得られるのは勿論のこと、コンクリート品質試験結果表を作成するだけで、コンクリート品質試験結果グラフを手間をかけることなく作成でき、よりコンクリートの品質管理時の省力化を図れる。
【図面の簡単な説明】
【図１】本発明を適用した一実施の形態のコンクリート品質試験結果表作成装置である建築現場書類作成装置の構成を示すブロック図である。
【図２】図１中の建築現場書類作成装置による建築現場書類作成処理を説明するためのフローチャートである。
【図３】図１中の建築現場書類作成装置による試験結果表作成処理を説明するためのフローチャートである。
【図４】図１中の建築現場書類作成装置による管理表作成処理を説明するためのフローチャートである。
【図５】工事選択画面の一例を示す図である。
【図６】建築台帳作成画面の一例を示す図である。
【図７】調合計画表作成画面の一例を示す図である。
【図８】打設計画表作成画面の一例を示す図である。
【図９】送信票作成画面の一例を示す図である。
【図１０】試験結果表作成画面の一例を示す図である。
【図１１】コンクリート打設結果集計表の一例を示す図である。
【図１２】構造体コンクリート強度管理表の一例を示す図である。
【符号の説明】
１      建築現場書類作成装置（コンクリート品質試験結果表作成装置、コンクリート打設情報管理手段）
７      試験結果表作成画面（コンクリート品質試験結果表）
９      構造体コンクリート強度管理表（コンクリート品質試験結果グラフ）
１１    ＣＰＵ（打設情報抽出手段、結果表画像データ作成手段、品質試験結果データおよび打設情報抽出手段、結果グラフ画像データ作成手段）
１３ａ  記録媒体
１４    入力装置（入力手段）
１５    出力装置（結果表出力手段、結果グラフ出力手段）
７１ａ〜７１ｈ  入力欄
７５ａ〜７５ｇ  表示欄
７６ａ〜７６ｄ  表示欄
１３１  建築台帳データベース（コンクリート打設情報データベース）
１３２  コンクリート調合データベース（コンクリート打設情報データベース）
１３３  コンクリート打設データベース（コンクリート打設情報データベース）
１３４  コンクリート試験結果データベース（品質試験結果データベース）
Ｓ２１〜Ｓ２３・Ｓ２６  ステップ
【図１】
0003545718.tif 000002
【図２】
0003545718.tif 000003
【図３】
0003545718.tif 000004
【図４】
0003545718.tif 000005
【図５】
0003545718.tif 000006
【図６】
0003545718.tif 000007
【図７】
0003545718.tif 000008
【図８】
0003545718.tif 000009
【図９】
0003545718.tif 000010
【図１０】
0003545718.tif 000011
【図１１】
0003545718.tif 000012
【図１２】
0003545718.tif 000013